(57)【特許請求の範囲】
【請求項１】
回転表示体と、
前記回転表示体の回転動作を制御する制御手段と、
を備え、
前記制御手段は、前記回転表示体に早送り回転動作を行わせる場合に、当該早送り回転動作による前記回転表示体の移動先の位置を示す情報に基づいて、前記早送り回転動作における回転量に係る回転量情報を示す回転動作を少なくとも一の前記回転表示体により行わせる回転量情報表示制御を行い、
前記回転量情報表示制御において、前記早送り回転動作の開始前に、当該早送り回転動作を行わせる前記回転表示体を当該早送り回転動作における回転量に応じた回転量回転動作させることを特徴とする電子時計。
【請求項２】
回転表示体と、
前記回転表示体の回転動作を制御する制御手段と、
を備え、
前記制御手段は、前記回転表示体に早送り回転動作を行わせる場合に、当該早送り回転動作による前記回転表示体の移動先の位置を示す情報に基づいて、前記早送り回転動作における回転量に係る回転量情報を示す回転動作を少なくとも一の前記回転表示体により行わせる回転量情報表示制御を行い、
前記回転量情報表示制御において、前記早送り回転動作を行っている前記回転表示体の回転動作の速度を当該早送り回転動作における残り回転量に対応して漸減させることを特徴とする電子時計。
【請求項３】
複数の回転表示体と、
前記回転表示体の回転動作を制御する制御手段と、
を備え、
前記制御手段は、前記回転表示体に早送り回転動作を行わせる場合に、当該早送り回転動作による前記回転表示体の移動先の位置を示す情報に基づいて、前記早送り回転動作における回転量に係る回転量情報を示す回転動作を少なくとも一の前記回転表示体により行わせる回転量情報表示制御を行い、
前記回転量情報表示制御において、前記早送り回転動作を行わせる前記回転表示体とは異なる他の少なくとも一の前記回転表示体により前記回転量情報を示す回転動作を行わせ、前記他の少なくとも一の回転表示体により、前記早送り回転動作における回転量に対する実行済みの当該早送り回転動作における回転量の割合に応じた回転動作を行わせることを特徴とする電子時計。
【請求項４】
複数の回転表示体と、
前記回転表示体の回転動作を制御する制御手段と、
を備え、
前記制御手段は、前記回転表示体に早送り回転動作を行わせる場合に、当該早送り回転動作による前記回転表示体の移動先の位置を示す情報に基づいて、前記早送り回転動作における回転量に係る回転量情報を示す回転動作を少なくとも一の前記回転表示体により行わせる回転量情報表示制御を行い、
前記回転量情報表示制御において、前記早送り回転動作を行わせる前記回転表示体とは異なる他の少なくとも一の前記回転表示体により前記回転量情報を示す回転動作を行わせ、前記他の少なくとも一の回転表示体により、前記早送り回転動作の残り時間を示す回転動作を行わせることを特徴とする電子時計。
【請求項５】
前記制御手段は、前記回転量情報表示制御において、前記早送り回転動作の開始前に、当該早送り回転動作を行わせる前記回転表示体を当該早送り回転動作における回転量に応じた回転量回転動作させることを特徴とする請求項２〜４の何れか一項に記載の電子時計。
【請求項６】
前記早送り回転動作における回転量に応じた前記回転表示体の回転動作は、当該回転動作における回転方向が前記早送り回転動作における回転方向とは逆方向となるように行われることを特徴とする請求項１〜５の何れか一項に記載の電子時計。
【請求項７】
前記制御手段は、前記回転量情報表示制御において、前記早送り回転動作を行っている前記回転表示体の回転動作の速度を当該早送り回転動作における残り回転量に対応して漸減させることを特徴とする請求項１、３、４の何れか一項に記載の電子時計。
【発明の詳細な説明】
【技術分野】
【０００１】
この発明は、回転表示体を用いて日時の表示を行う電子時計に関する。
【背景技術】
【０００２】
従来、時針や分針などの指針（回転表示体）により現在時刻を表示させることが可能な電子時計がある。このような電子時計には、回転表示体により現在時刻と現在時刻以外の情報とを切り替えて表示させることができるものがある。例えば、特許文献１には、秒針の回転動作により電波受信状態を表示させる技術が開示されている。この他にも、世界の都市や地域における地方時、アラームの設定時刻、タイマー機能に係る残り時間、ストップウォッチ機能に係る計数時間などを切り替えて表示させることができる電子時計がある。
【０００３】
このように回転表示体により表示させる情報を切り替える場合には、当該回転表示体は、現在時刻の表示時における回転動作よりも高速で早送り回転動作されて、切り替え後の情報表示に係る位置に移動される。
また、この早送り回転動作は、表示させる情報を切り替える場合のほか、回転表示体により表示される現在時刻を修正する場合にも実行され得る。
【先行技術文献】
【特許文献】
【０００４】
【特許文献１】特開２００４−２２６３５０号公報
【発明の概要】
【発明が解決しようとする課題】
【０００５】
しかしながら、電子時計のユーザは、回転表示体が早送り回転動作されている間は電子時計から所望の情報を得ることができない。そして、早送り回転動作における回転量は、切り替え後に表示される情報及び回転表示体の早送り回転動作開始前の位置に応じて毎回異なるため、電子時計のユーザは、所望の情報が得られるまでの待ち時間を想定することができないという課題がある。
【０００６】
この発明の目的は、ユーザが所望の情報が得られるまでの待ち時間を想定することが可能な電子時計を提供することにある。
【課題を解決するための手段】
【０００７】
本発明は、上記目的を達成するため、
回転表示体と、
前記回転表示体の回転動作を制御する制御手段と、
を備え、
前記制御手段は、前記回転表示体に早送り回転動作を行わせる場合に、当該早送り回転動作による前記回転表示体の移動先の位置を示す情報に基づいて、前記早送り回転動作における回転量に係る回転量情報を示す回転動作を少なくとも一の前記回転表示体により行わせる回転量情報表示制御を行い、
前記回転量情報表示制御において、前記早送り回転動作の開始前に、当該早送り回転動作を行わせる前記回転表示体を当該早送り回転動作における回転量に応じた回転量回転動作させることを特徴とする電子時計である。
【発明の効果】
【０００８】
本発明に従うと、ユーザが所望の情報が得られるまでの待ち時間を想定することができるという効果がある。
【図面の簡単な説明】
【０００９】
【図１】本発明の実施形態の電子時計の内部構成を示すブロック図である。
【図２】電子時計において実行される早送り動作の例を説明する図である。
【図３】早送り処理のＣＰＵによる制御手順を示すフローチャートである。
【図４】正転早送り前処理のＣＰＵによる制御手順を示すフローチャートである。
【図５】逆転早送り前処理のＣＰＵによる制御手順を示すフローチャートである。
【図６】早送り速度設定処理のＣＰＵによる制御手順を示すフローチャートである。
【図７】第２の実施形態に係る早送り動作の例を説明する図である。
【図８】第２の実施形態に係る早送り処理のＣＰＵによる制御手順を示すフローチャートである。
【図９】進行状況表示処理のＣＰＵによる制御手順を示すフローチャートである。
【図１０】変形例に係る早送り処理のＣＰＵによる制御手順を示すフローチャートである。
【図１１】残り時間表示処理のＣＰＵによる制御手順を示すフローチャートである。
【発明を実施するための形態】
【００１０】
（第１の実施形態）
以下、本発明の第１の実施形態を図面に基づいて説明する。
図１は、本発明の実施形態の電子時計の内部構成を示すブロック図である。
【００１１】
本実施形態の電子時計１は、日車２と、時針３と、分針４と、秒針５と（以降、日車２〜秒針５をまとめて指針２〜５（回転表示体）とも記す）、複数の歯車が配列された輪列機構２２を介して日車２を回転動作させる第１ステッピングモータ３２と、輪列機構２３を介して時針３を回転動作させると共に、輪列機構２４を介して分針４を回転動作させる第２ステッピングモータ３３と、輪列機構２５を介して秒針５を回転動作させる第３ステッピングモータ３５と（以降、第１ステッピングモータ３２、第２ステッピングモータ３３及び第３ステッピングモータ３５をまとめてステッピングモータ３２，３３，３５とも記す）、ステッピングモータ３２，３３，３５に駆動パルスを出力する駆動回路３９と、ＣＰＵ（Central Processing Unit）４１（制御手段）と、ＲＯＭ（Read Only Memory）４２と、ＲＡＭ（Random Access Memory）４３と、電源部４４と、操作部４５と、発振回路４６と、分周回路４７と、計時回路４８と、アンテナ４９と、標準電波受信部５０などを備えている。
【００１２】
時針３、分針４、及び、秒針５は、何れも通常の針形状を有する指針であり、文字盤上で同一の回転軸に対して回転可能に配置されて、一の方向を指し示す。これら時針３、分針４、及び、秒針５は、指し示す方向が容易に読み取り可能な範囲で任意の太さや装飾形状とすることができる。一方、日車２は、円環状（ディスク形）の指針であり、文字盤の下部で上記回転軸の周りを回転可能に配置されている。日車２の上面には、その周縁部に日付「１」〜「３１」をそれぞれ表す日付標識が順番に設けられており、日車２を回転させることで、文字盤に設けられた透過小窓（窓部）から何れか１個の日付標識が選択的に露出される。この透過小窓は、ガラスやアクリル樹脂などの透明部材で覆われていても良い。
【００１３】
輪列機構２２〜２５は、それぞれ、複数の歯車が噛み合わされて所定のギア比で回転する構成であり、輪列機構２２〜２５におけるそれぞれ最後の歯車は、各輪列機構に接続されるステッピングモータ３２，３３，３５のステップ回転に連動してそれぞれ所定角度の回転動作を日車２、時針３、分針４、及び秒針５に伝えることで、それぞれ所望の位置（回転位置）を指し示させる。輪列機構２３は、輪列機構２４の中間の歯車（中間車）の回転に連動して回転する複数の歯車からなり、輪列機構２４の歯車のギア比とは異なるギア比で歯車が回転するようになっている。これにより、輪列機構２３及び輪列機構２４は、第２ステッピングモータ３３のステップ回転に連動してそれぞれ異なる角度の回転動作を時針３及び分針４に伝える。
【００１４】
第１ステッピングモータ３２は、一日のうち所定の時間、例えば２４時に駆動回路３９から入力される複数の駆動パルスの各々により駆動（ステップ駆動）されてロータが１８０度ステップ回転動作し、当該複数の駆動パルスに対応する複数回のステップ回転動作により日車２を回転させて日付標識を一日分進める。
第２ステッピングモータ３３は、駆動回路３９から１０秒に１回入力される駆動パルスにより駆動されてロータが１８０度ステップ回転動作し、分針４を１ステップ当たり１度回転させるとともに、時針３を１ステップ当たり１／１２度回転させる。従って、分針４は、３６０ステップ（１時間）で１周し、時針３は、４３２０ステップ（１２時間）で１周する。
第３ステッピングモータ３５は、駆動回路３９から１秒に１回入力される駆動パルスにより駆動されてロータが１８０度ステップ回転動作し、１ステップ当たり秒針５を６度ずつ回転させる。従って、秒針５は、６０ステップ（１分）で１周する。
指針２〜５は、それぞれ正転方向及び逆転方向に１６ｐｐｓ（pulse per second），２４ｐｐｓ，３２ｐｐｓで早送り回転動作させることが可能である。
【００１５】
駆動回路３９は、ＣＰＵ４１からの制御信号に従ってステッピングモータ３２，３３，３５に所定電圧の駆動パルスを出力してステッピングモータ３２，３３，３５のロータを１回所定角度（本実施形態では１８０度）ステップ回転動作させる。
【００１６】
輪列機構２２〜２５をそれぞれ構成する複数の歯車の間には、それぞれ、遊び（バックラッシュ）が存在する。従って、指針２〜５の回転方向を正転方向と逆転方向との間で切り替える場合、ステッピングモータ３２，３３，３５が所定回数（空回りステップ数）ステップ回転する間、輪列機構２２〜２５の途中の歯車間で空回りすることになり、指針２〜５は、回転動作されない。
【００１７】
本実施形態の電子時計１では、逆転方向へ指針を移動させる場合には、当該指針の空回りステップ数又はこれ以上のステップ数（振り戻しステップ数）余分にステッピングモータに逆転動作を行わせ、その後、正転方向への回転に係る空回りを解消するために、上記振り戻しステップ数ステッピングモータに正転動作を行わせる振り戻し動作を行う必要がある。この振り戻しステップ数は、指針２〜５で各々異なっており、このうち時針３に係る振り戻しステップ数（以下、時針振り戻しステップ数と記す）は、分針４に係る振り戻しステップ数（以下、分針振り戻しステップ数と記す）よりも大きくなっている。従って、正転方向に移動していた時針３及び分針４を逆転方向に移動させる場合には、第２ステッピングモータ３３を逆転動作させるステップ数が分針振り戻しステップ数以下である期間では時針３及び分針４ともに回転動作されず、分針振り戻しステップ数より大きく時針振り戻しステップ数以下である期間では分針４のみが逆転方向に回転動作され、時針振り戻しステップ数以上である期間では時針３及び分針４が何れも逆転方向に回転移動される。指針２〜５に係る振り戻しステップ数は、予めＲＯＭ４２に記憶されて振り戻し動作の際に読み出される。
【００１８】
ＣＰＵ４１は、電子時計１における各種演算処理を行うと共に全体動作の統括制御を行う。
ＲＯＭ４２は、ＣＰＵ４１により実行される各種制御用のプログラムや設定データを記憶する。設定データには、指針２〜５に係る振り戻しステップ数や、世界の都市及び／又は地域に係る協定世界時（ＵＴＣ）からの時差及び夏時間情報が記憶されている。
ＲＡＭ４３は、ＣＰＵ４１に作業用のメモリ空間を提供し、ＲＯＭ４２から読み出されて展開されたプログラムや一時データなどを記憶する揮発性メモリである。ＲＡＭ４３に記憶される一時データには、計時回路４８が計数する現在時刻データ（時、分、秒）、時針３及び分針４の現在位置を示す時分針現在位置データ（０〜４３１９）、秒針５の現在位置を示す秒針現在位置データ（０〜５９）、時針３及び分針４の回転動作における回転方向を示す時分針回転方向データ（０：正転、１：逆転）、後述する時針３、分針４及び秒針５の早送り回転動作における時針３及び分針４の移動先の位置を示す時分針セット位置データ（０〜４３１９）、当該早送り回転動作における秒針５の移動先の位置を示す秒針セット位置データ（０〜５９）、上記早送り回転動作全体における時針３及び分針４の移動ステップ数、上記早送り回転動作における時針３及び分針４の残り移動ステップ数が含まれる。また、ＲＡＭ４３には、後述するアラーム時刻設定モードに係るアラーム時刻、タイマーモードに係るタイマー設定時間、及び指針２〜５の各々の回転速度に係る設定値が記憶される。
【００１９】
電源部４４は、ＣＰＵ４１を介して電子時計１の各部に電力を供給する。この電源部４４は、特には制限されないが、例えば、太陽電池と二次電池とを組み合わせて長期間継続的に電力供給を可能としたものである。
【００２０】
操作部４５は、外部操作スイッチ、例えば、押しボタンやりゅうずなどを含み、ユーザによる押下や回転などの操作を受け付けて電気信号に変換してＣＰＵ４１に出力する。
この操作部４５とＣＰＵ４１では、ユーザによる操作部４５に対する操作に応じて、標準電波受信部５０による時刻データの取得及び当該取得結果に応じた指針２〜５による表示時刻の修正を行うことができるようになっている。
また、この操作部４５とＣＰＵ４１では、ユーザによる操作部４５に対する操作に応じて、電子時計１の動作モードを複数の動作モードの何れかに設定することができるようになっている。電子時計１の動作モードとしては、特には限られないが、通常の時刻表示を行うモードの他に、世界の時刻を表示するワールドタイムモード、アラーム時刻を設定するアラーム時刻設定モード、タイマーモード、ストップウォッチモードがある。
このうちワールドタイムモードでは、ユーザによる操作部４５に対する操作により世界の都市又は地域が指定され、当該指定された都市又は地域に係る時差及び夏時間情報に基づいて計時回路の計数する日時が適切な地方時に換算され、換算された地方時を示す表示が指針２〜５により行われる。アラーム時刻設定モードでは、ユーザによる操作部４５に対する操作により指定されたアラーム時刻が指針２〜５により表示されるとともにＲＡＭ４３に記憶される。タイマーモードでは、ユーザによる操作部４５に対する操作により指定されたタイマー設定時間が指針２〜５により表示されるとともにＲＡＭ４３に記憶され、タイマーの動作開始に係る操作が行われると、タイマー設定時間から動作開始後の経過時間が減算された残り時間が指針２〜５により表示される。ストップウォッチモードでは、指針２〜５が０時０分０秒の位置に移動され、ストップウォッチの動作開始に係る操作が行われると、動作開始後の経過時間を示す表示が指針２〜５により行われる。
【００２１】
発振回路４６は、所定の周波数信号を発振して出力する。分周回路４７は、発振回路４６から入力された周波数信号を分周し、電子時計１で用いられる各周波数の信号を生成して出力する。計時回路４８は、分周回路４７から出力された所定の周波数（例えば、１Ｈｚ）の信号の入力回数を計数し、時刻データに加算していくことで現在時刻を保持する。
【００２２】
標準電波受信部５０は、アンテナ４９を用いて、長波長帯の電波により時刻情報を符号化送信している標準電波を受信して、符号化された信号（タイムコード）を復調、復号してＣＰＵ４１に出力する。標準電波受信部５０による長波長帯の電波への同調周波数は、ＣＰＵ４１の制御により受信対象とされる標準電波送信局からの送信周波数に応じて調整される。上記復号されたタイムコードから取得された時刻データがＣＰＵ４１から計時回路４８に送られて上書きされることで、現在時刻データが上書き修正される。
【００２３】
次に、時針３、分針４及び秒針５の早送り回転動作について説明する。
本実施形態の電子時計１では、例えば電池切れにより正確な時刻が表示されていない状態において、電池が交換され、ユーザによる操作部４５に対する操作に応じて標準電波受信部５０により時刻データが取得された場合に、時針３、分針４及び秒針５が通常の時刻表示時より高速で回転動作する早送り回転動作が行われて、正確な現在時刻を示す位置に移動される。
また、電子時計１では、電子時計１の動作モードが変更された場合に、時針３、分針４及び秒針５の早送り回転動作が行われて、変更後の動作モードにおける適切な位置に時針３、分針４及び秒針５が移動される。ここで、変更後の動作モードにおける時針３、分針４及び秒針５の位置は、ワールドタイムモードでは指定された都市における時刻に係る位置であり、アラーム時刻設定モードではＲＡＭ４３に記憶されている最新のアラーム時刻に係る位置であり、タイマーモードではＲＡＭ４３に記憶されている最新のタイマー設定時間に係る位置であり、ストップウォッチモードでは、０時０分０秒の位置である。
また、時針３及び分針４に係る早送り回転動作における回転方向は、当該早送り回転動作における回転量が少なくなる方向に設定される。
【００２４】
本実施形態では時針３、分針４及び秒針５の早送り回転動作が行われる場合に、まず、当該早送り回転動作全体に係る時針３及び分針４の回転量（以下、時分針早送り回転量とも記す）に応じた回転量だけ、時針３及び分針４が早送り回転動作における回転方向とは逆方向に回転され、その後早送り回転動作における回転方向に同一回転量だけ回転されて元の位置に戻る予備動作が行われる。本実施形態では、この予備動作における時針３及び分針４の各回転方向についての回転量は、時分針早送り回転量が３５９ステップ以下（１時間未満に相当）である場合には３０ステップ（５分に相当）であり、時分針早送り回転量が３６０ステップ以上７１９ステップ以下（１時間以上２時間未満に相当）である場合には６０ステップ（１０分に相当）であり、時分針早送り回転量が７２０ステップ以上（２時間以上に相当）である場合には９０ステップ（１５分に相当）である。本実施形態では、時針３、分針４及び秒針５の早送り回転動作と上述の予備動作とを合わせた動作を早送り動作と記す。また、予備動作を行わせる制御が回転量情報表示制御に相当する。
予備動作の完了後、時針３及び分針４の早送り回転動作が行われる。ここで、早送り回転動作における回転速度は、時分針早送り回転量の残り量、即ち、早送り回転動作全体の回転量から、実施済みの早送り回転動作における回転量を差し引いた量に応じて設定される。本実施形態では、早送り回転動作における回転速度は、時分針早送り回転量の残り量が３６０ステップ以上（１時間以上に相当）である場合には３２ｐｐｓであり、時分針早送り回転量の残り量が１８０ステップ以上３５９ステップ以下（３０分以上１時間未満に相当）である場合には２４ｐｐｓであり、時分針早送り回転量の残り量が１７９ステップ以下（３０分未満に相当）である場合には１６ｐｐｓである。
このように、本実施形態の電子時計１では、予備動作において時分針早送り回転量に応じた回転量だけ時針３及び分針４が早送り回転動作とは逆方向に回転動作されるとともに、時針３及び分針４の早送り回転動作における回転速度が時分針早送り回転量の残り量に応じて漸減することにより、ユーザに早送り回転動作における回転量に係る情報（回転量情報）を伝えることができる。
【００２５】
図２は、電子時計１において実行される早送り動作の例を説明する図である。図２では、７時２３分４０秒が表示された状態において、標準電波受信部５０により正確な現在時刻である９時４１分８秒を示す時刻データが取得され、時針３、分針４及び秒針５がこの現在時刻の位置に移動されるまでの動作が示されている。
【００２６】
図２（ａ）は、早送り動作開始時点における時針３、分針４及び秒針５の位置を示す図である。
早送り動作が開始されると、秒針５が正転方向に３２ｐｐｓの速度で早送り回転動作されて、早送り回転動作による移動先である「８秒」の位置に移動される（図２（ｂ））。
次に、時分針早送り回転量が７２０ステップ以上（２時間以上）であることから、時針３及び分針４が９０ステップ（１５分）だけ３２ｐｐｓの速度で逆転方向に回転動作され（図２（ｃ））、その後９０ステップだけ３２ｐｐｓの速度で正転方向に回転動作（図２（ｄ））される予備動作が行われる。
次に、時針３及び分針４の正転方向への早送り回転動作が実行される。即ち、まず時針３及び分針４が３２ｐｐｓの速度で回転動作され、時分針早送り回転量の残り量が３５９ステップ未満になると（図２（ｅ））、回転速度が２４ｐｐｓに変更され、時分針早送り回転量の残り量が１７９ステップ未満になると（図２（ｆ））、回転速度が１６ｐｐｓに変更される。その後、時針３及び分針４は、１６ｐｐｓの回転速度で現在時刻に係る９時４１分の位置まで早送り回転動作される（図２（ｇ））。
なお、秒針５は、図２（ｂ）に示されるように「８秒」の位置に移動された後、通常の時刻表示動作時と同様に運針が行われても良い。
【００２７】
次に、本実施形態の電子時計１における早送り動作に係る早送り処理について説明する。
【００２８】
図３は、早送り処理のＣＰＵ４１による制御手順を示すフローチャートである。
【００２９】
この早送り処理は、ユーザによる操作に応じて標準電波受信部５０及びＣＰＵ４１による時刻データの上書き修正が行われること、又は電子時計１の動作モードが変更されることに伴い、時針３及び分針４が指し示す位置が現在の位置から変更される場合に呼び出されて実行される。
【００３０】
早送り処理が開始されると、ＣＰＵ４１は、先ず、実行される早送り処理に係る各種データをＲＡＭ４３に記憶させる（ステップＳ１０１）。即ち、ＣＰＵ４１は、早送り動作における時針３、分針４及び秒針５の移動先の位置を示す時分針セット位置データ、秒針セット位置データをＲＡＭ４３に記憶させる。また、ＣＰＵ４１は、当該時分針セット位置データ及び秒針セット位置データと、時分針現在位置データ及び秒針現在位置データとを用いて時針３及び分針４の回転方向を特定して時分針回転方向データをＲＡＭ４３に記憶させる。また、ＣＰＵ４１は、移動ステップ数を算出してＲＡＭ４３に記憶させる。
【００３１】
ＣＰＵ４１は、秒針５を秒針セット位置データにより示される秒針セット位置に早送り回転動作させる（ステップＳ１０２）。即ち、ＣＰＵ４１は、駆動回路３９によりステッピングモータ３５に対して秒針セット位置データと秒針現在位置データとの差に応じた数の駆動パルスを出力させて秒針５を３２ｐｐｓの速度で回転動作させ、秒針セット位置に移動させる。
【００３２】
ＣＰＵ４１は、時針３及び分針４の早送り回転動作における回転方向が正転方向であるか否か（即ち時分針回転方向データが０であるか否か）を判別する（ステップＳ１０３）。早送り回転動作における回転方向が正転方向であると判別された場合には（ステップＳ１０３で“Ｙｅｓ”）、ＣＰＵ４１は、正転早送り前処理を実行して上述した予備動作を行わせる（ステップＳ１０４）。正転早送り前処理の詳細については後述する。
【００３３】
ＣＰＵ４１は、残り移動ステップ数に移動ステップ数の値を代入してＲＡＭ４３に記憶させる（ステップＳ１０５）。
【００３４】
ＣＰＵ４１は、時針３及び分針４の早送り回転動作における回転速度を設定する早送り速度設定処理を実行する（ステップＳ１０６）。早送り速度設定処理の詳細については後述する。
【００３５】
ＣＰＵ４１は、駆動回路３９によりステッピングモータ３３に対して駆動パルスを出力させて時針３及び分針４を正転方向に１ステップ運針させる（ステップＳ１０７）。
【００３６】
ＣＰＵ４１は、残りステップ数が０であるか否かを判別する（ステップＳ１０８）。ＣＰＵ４１は、残りステップ数が０ではないと判別された場合には（ステップＳ１０８で“Ｎｏ”）、処理をステップＳ１０６に移行させる。ＣＰＵ４１は、ステップＳ１０６からステップＳ１０８までの処理を残りステップ数が０となるまで繰り返し実行することにより、時針３及び分針４を正転方向に早送り回転動作させる。ここで、ＣＰＵ４１は、当該早送り回転動作の速度が上記繰り返しごとに早送り速度設定処理で設定される回転速度（３２ｐｐｓ，２４ｐｐｓ，１６ｐｐｓの何れか）となるようにステップＳ１０７の実行タイミングを制御する。
残りステップ数が０であると判別された場合には（ステップＳ１０８で“Ｙｅｓ”）、ＣＰＵ４１は、早送り処理を終了させる。
【００３７】
ステップＳ１０３において、時針３及び分針４の早送り回転動作における回転方向が逆転方向であると判別された場合には（ステップＳ１０３で“Ｎｏ”）、ＣＰＵ４１は、逆転早送り前処理を実行して上述した予備動作を行わせる（ステップＳ１０９）。逆転早送り前処理の詳細については後述する。
【００３８】
逆転早送り処理が終了すると、ＣＰＵ４１は、ステッピングモータ３３に対して分針振り戻しステップ数だけロータを逆転方向に回転させる駆動パルスを駆動回路３９により３２ｐｐｓの速度で出力させて、輪列機構２３，２４のうち分針４までの歯車を逆転方向の回転動作について遊びがない状態にさせる（ステップＳ１１０）。以下では、このステップＳ１１０と同一の処理を、分針４までの歯車を逆転側に寄せる処理とも記す。
【００３９】
ＣＰＵ４１は、残り移動ステップ数に移動ステップ数の値を代入してＲＡＭ４３に記憶させる（ステップＳ１１１）。
【００４０】
ＣＰＵ４１は、時針３及び分針４の早送り回転動作における回転速度を設定する早送り速度設定処理を実行する（ステップＳ１１２）。この早送り速度設定処理は、ステップＳ１０６と同一の処理である。
【００４１】
ＣＰＵ４１は、駆動回路３９により駆動パルスを出力させて時針３及び分針４を逆転方向に１ステップ運針させる（ステップＳ１１３）。
【００４２】
ＣＰＵ４１は、残りステップ数が０であるか否かを判別する（ステップＳ１１４）。ＣＰＵ４１は、残りステップ数が０ではないと判別された場合には（ステップＳ１１４で“Ｎｏ”）、処理をステップＳ１１２に移行させる。ＣＰＵ４１は、ステップＳ１１２からＳ１１４までの処理を残りステップ数が０となるまで繰り返し実行することにより、時針３及び分針４を逆転方向に早送り回転動作させる。ここで、ＣＰＵ４１は、当該早送り回転動作の速度が上記繰り返しごとに早送り速度設定処理で設定される回転速度（３２ｐｐｓ，２４ｐｐｓ，１６ｐｐｓの何れか）となるようにステップＳ１１３の実行タイミングを制御する。
【００４３】
残りステップ数が０であると判別された場合には（ステップＳ１１４で“Ｙｅｓ”）、ＣＰＵ４１は、駆動回路３９によりステッピングモータ３３に対して、時針振り戻しステップ数から分針振り戻しステップ数を減算したステップ数だけロータを逆転方向に回転させる駆動パルスを３２ｐｐｓの速度で出力させた後に、時針振り戻しステップ数だけロータを正転方向に回転させる駆動パルスを３２ｐｐｓの速度で出力させて、輪列機構２３，２４の時針３及び分針４に係る各歯車を正転方向について遊びがない状態にさせる（歯車を正転側に寄せる）（ステップＳ１１５）。
ステップＳ１１５の処理が終了すると、ＣＰＵ４１は、早送り処理を終了させる。
【００４４】
図４は、正転早送り前処理のＣＰＵ４１による制御手順を示すフローチャートである。
【００４５】
正転早送り前処理が開始されると、ＣＰＵ４１は、時分針セット位置データの値が時分針現在位置データの値より大きいか否かを判別する（ステップＳ２０１）。時分針セット位置データの値が時分針現在位置データの値より大きいと判別された場合には（ステップＳ２０１で“Ｙｅｓ”）、ＣＰＵ４１は、移動ステップ数に、時分針セット位置データの値から時分針現在位置データの値を減算して得られた値を代入し、ＲＡＭ４３に記憶させる（ステップＳ２０２）。また、時分針セット位置データの値が時分針現在位置データの値以下であると判別された場合には（ステップＳ２０１で“Ｎｏ”）、ＣＰＵ４１は、移動ステップ数に、時分針セット位置データの値に４３２０を加算し時分針現在位置データの値を減算して得られた値を代入し、ＲＡＭ４３に記憶させる（ステップＳ２０３）。
【００４６】
ステップＳ２０２又はステップＳ２０３の処理が終了すると、ＣＰＵ４１は、分針４までの歯車を逆転側に寄せる処理を行う（ステップＳ２０４）。
【００４７】
ＣＰＵ４１は、移動ステップ数が３５９以下、３６０以上７１９以下、及び７２０以上の何れであるかを判別し（ステップＳ２０５）、移動ステップ数が３５９以下である場合には、駆動回路３９によりステッピングモータ３３に対してロータを逆転方向に回転させる駆動パルスを出力させて、時針３及び分針４を３０ステップ逆転方向に回転動作させる（ステップＳ２０６）。また、移動ステップ数が３６０以上７１９以下である場合には、ＣＰＵ４１は、時針３及び分針４を６０ステップ逆転方向に回転動作させる（ステップＳ２０７）。また、移動ステップ数が７２０以上である場合には、ＣＰＵ４１は、時針３及び分針４を９０ステップ逆転方向に回転移動させる（ステップＳ２０８）。ステップＳ２０６〜Ｓ２０８における時針３及び分針４の回転速度は、３２ｐｐｓとされる。
【００４８】
ＣＰＵ４１は、駆動回路３９によりステッピングモータ３３に対して、分針振り戻しステップ数だけロータを正転方向に回転させる駆動パルスを３２ｐｐｓの速度で出力させて、輪列機構２３，２４のうち分針４までの歯車を正転方向について遊びがない状態にさせる（ステップＳ２０９）。以下では、このステップＳ２０９と同一の処理を、分針４までの歯車を正転側に寄せる処理とも記す。
【００４９】
ＣＰＵ４１は、ステップＳ２０９の終了後、所定の待機時間が経過したか否かを判別する（ステップＳ２１０）。ステップＳ２１０の処理は、図示略のカウンタ回路の出力に基づいて行われ、所定の待機時間は、ユーザが分針４の停止を認識するのに十分な時間、例えば１秒とされる。所定の待機時間が経過していないと判別された場合には（ステップＳ２１０で“Ｎｏ”）、ＣＰＵ４１は、再びステップＳ２１０の処理を実行する。
【００５０】
所定の待機時間が経過していると判別された場合には（ステップＳ２１０で“Ｙｅｓ”）、ＣＰＵ４１は、移動ステップ数が３５９以下、３６０以上７１９以下、７２０以上の何れであるかを判別する（ステップＳ２１１）。ＣＰＵ４１は、移動ステップ数が３５９以下であると判別された場合には、駆動回路３９によりステッピングモータ３３に対してロータを正転方向に回転させる駆動パルスを出力させて、時針３及び分針４を３０ステップ正転方向に回転動作させる（ステップＳ２１２）。また、移動ステップ数が３６０以上７１９以下であると判別された場合には、ＣＰＵ４１は、時針３及び分針４を６０ステップ正転方向に回転移動させる（ステップＳ２１３）。また、移動ステップ数が７２０以上であると判別された場合には、ＣＰＵ４１は、時針３及び分針４を９０ステップ正転方向に回転移動させる（ステップＳ２１４）。ステップＳ２１２〜Ｓ２１４における時針３及び分針４の回転速度は、３２ｐｐｓとされる。
ステップＳ２１２〜Ｓ２１４のうち何れかの処理が終了すると、ＣＰＵ４１は、正転早送り前処理を終了させる。
【００５１】
図５は、逆転早送り前処理のＣＰＵ４１による制御手順を示すフローチャートである。
【００５２】
逆転早送り前処理が開始されると、ＣＰＵ４１は、時分針セット位置データの値が時分針現在位置データの値より大きいか否かを判別する（ステップＳ３０１）。時分針セット位置データの値が時分針現在位置データの値より大きいと判別された場合には（ステップＳ３０１で“Ｙｅｓ”）、ＣＰＵ４１は、移動ステップ数に、時分針現在位置データの値に４３２０を加算し時分針セット位置データの値を減算して得られた値を代入し、ＲＡＭ４３に記憶させる（ステップＳ３０２）。また、時分針セット位置データの値が時分針現在位置データの値以下であると判別された場合には（ステップＳ３０１で“Ｎｏ”）、ＣＰＵ４１は、移動ステップ数に、時分針現在位置データの値から時分針セット位置データの値を減算して得られた値を代入し、ＲＡＭ４３に記憶させる（ステップＳ３０３）。
【００５３】
ステップＳ３０２又はステップＳ３０３の処理が終了すると、ＣＰＵ４１は、移動ステップ数が３５９以下、３６０以上７１９以下、及び７２０以上の何れであるかを判別し（ステップＳ３０５）、判別結果に応じてステップＳ３０６〜Ｓ３０８の何れかの処理を行う。ステップＳ３０６〜Ｓ３０８の処理は、それぞれ正転早送り処理のステップＳ２０６〜Ｓ２０８の処理と、時針３及び分針４の回転動作における回転方向が正転方向である点を除いて同一であるため、説明を省略する。
【００５４】
ＣＰＵ４１は、分針４までの歯車を逆転側に寄せる処理を行い（ステップＳ３０９）、ステップＳ３０９の終了後に所定の待機時間が経過したか否かを判別する（ステップＳ３１０）。ステップＳ３１０の処理は、ステップＳ２１０の処理と同一である。
【００５５】
ＣＰＵ４１は、移動ステップ数が３５９以下、３６０以上７１９以下、７２０以上の何れであるかを判別し（ステップＳ３１１）、判別結果に応じてステップＳ３１２〜Ｓ３１４の何れかの処理を行う。ステップＳ３１２〜Ｓ３１４の処理は、それぞれ正転早送り処理のステップＳ２１２〜Ｓ２１４の処理と、時針３及び分針４の回転動作における回転方向が逆転方向である点を除いて同一であるため、説明を省略する。
なお、ステップＳ３１２〜Ｓ３１４の処理では、これらの処理の開始時点において時針３に係る歯車の遊びが残っている状態であることから、時針３の回転動作における回転量が、時針振り戻しステップ数から分針振り戻しステップ数を減算したステップ数だけ不足するが、この不足分は、上述したステップＳ１１５におけるステッピングモータ３３のロータを逆回転方向に回転させる動作により補填される。
【００５６】
ステップ３１２〜Ｓ３１４のうち何れかの処理が終了すると、ＣＰＵ４１は、分針４までの歯車を正転側に寄せる処理を行う（ステップＳ３１５）。なお、このステップＳ３１５と、当該ステップＳ３１５の次に行なわれるステップＳ１１０の処理が行なわれると、輪列機構２３，２４の歯車は、ステップＳ３１５の開始前の状態に戻るため、ステップＳ３１５及びステップＳ１１０の処理を省略することもできる。
ステップＳ３１５の処理が終了すると、ＣＰＵ４１は、逆転早送り前処理を終了させる。
【００５７】
図６は、早送り速度設定処理のＣＰＵ４１による制御手順を示すフローチャートである。
【００５８】
早送り速度設定処理が開始されると、ＣＰＵ４１は、残り移動ステップ数に、残り移動ステップ数から１を減算して得られた値を代入してＲＡＭ４３に記憶させる（ステップＳ４０１）。
【００５９】
ＣＰＵ４１は、残り移動ステップ数が１７９以下、１８０以上３５９以下、及び３６０以上の何れであるかを判別し（ステップＳ４０２）、残り移動ステップ数が１７９以下である場合には、時針３及び分針４の早送り回転動作の速度（以下、時分針早送り速度と記す）を１６ｐｐｓに設定し（ステップＳ４０３）、残り移動ステップ数が１８０以上３５９以下である場合には、時分針早送り速度を２４ｐｐｓに設定し（ステップＳ４０４）、残り移動ステップ数が３６０以上である場合には、時分針早送り速度を３２ｐｐｓに設定して（ステップＳ４０５）、それぞれＲＡＭ４３に記憶させる。
ステップＳ４０３〜Ｓ４０５のうち何れかの処理が終了すると、ＣＰＵ４１は、早送り速度設定処理を終了させる。
【００６０】
以上のように、本実施形態に係る電子時計１は、時針３、分針４及び秒針５と、ＣＰＵ４１とを備え、ＣＰＵ４１は、時針３、分針４及び秒針５の回転動作を制御し、時針３及び分針４に早送り回転動作を行わせる場合に、当該早送り回転動作による時針３及び分針４の移動先の位置を示す時分針セット位置データに基づいて、早送り回転動作における回転量に係る回転量情報を示す回転動作を時針３及び分針４により行わせる。このような構成によれば、時針３及び分針４の回転動作により、当該時針３及び分針４の早送り回転動作における回転量に係る情報を容易に示すことができる。この結果、時針３及び分針４の早送り回転動作終了時の位置や早送り回転動作における回転量を予め知得し得ないユーザに、早送り回転動作終了までの待ち時間、即ち電子時計１から所望の情報が得られるまでの待ち時間を想定させることができ、ユーザ利便性を向上させることができる。
【００６１】
また、ＣＰＵ４１は、回転量情報表示制御において、早送り回転動作の開始前に、当該早送り回転動作を行わせる時針３及び分針４を当該早送り回転動作における回転量に応じた回転量回転動作させる（制御手段）。これによれば、早送り回転動作開始前における時針３及び分針４の回転量により、時針３及び分針４の早送り回転動作における回転量に係る情報を示すことができる。
【００６２】
また、上記早送り回転動作における回転量に応じた時針３及び分針４の回転動作は、当該回転動作における回転方向が上記早送り回転動作における回転方向とは逆方向となるように行われる。これにより、ユーザの目を引きやすい時針３及び分針４の逆方向での回転動作における回転量により、時針３及び分針４の早送り回転動作における回転量に係る情報をより分かりやすく示すことができる。
【００６３】
また、ＣＰＵ４１は、回転量情報表示制御において、早送り回転動作を行っている時針３及び分針４の回転動作の速度を当該早送り回転動作における残り回転量に対応して漸減させる（制御手段）。これによれば、時針３及び分針４の回転速度の変化によって、直観的に分かりやすい態様で時針３及び分針４の早送り回転動作における残り回転量に係る情報を示すことができる。
【００６４】
（第２の実施形態）
次に、本発明の第２の実施形態を図面に基づいて説明する。第２の実施形態に係る早送り動作は、時針３及び分針４の早送り回転動作が行われるとともに、秒針５により時分針早送り回転量に対する実施済みの早送り回転動作に係る回転量の割合が示される点、時針３及び分針４による予備動作が行われない点、及び時分針早送り速度が一定である点で第１の実施形態と異なる。以下では、主に第１の実施形態との相違点について説明する。
【００６５】
図７は、第２の実施形態に係る早送り動作の例を説明する図である。
図７（ａ）は、早送り動作開始時点における時針３、分針４及び秒針５の位置を示す図である。
早送り動作が開始されると、秒針５が「０秒」の位置に正転方向に３２ｐｐｓで回転動作される（図７（ｂ））。
次に、時針３及び分針４の早送り回転動作が開始される（図７（ｃ））。この早送り回転動作の速度は、３２ｐｐｓである。また、秒針５は、時針３及び分針４の早送り回転動作全体の回転量のうち実施済みの早送り回転動作における回転量の割合を、秒針５の１周を１として当該秒針の指示位置により示すように回転動作される。即ち、秒針５は、時針３及び分針４とともに正転方向に回転動作され、早送り回転動作のうち１／４が実施されて時針３及び分針４が７時５７分の位置まで移動された時点では、秒針５が１／４周に相当する「１５秒」の位置まで移動される（図７（ｄ））。また、早送り回転動作のうち１／２が実施されて時針３及び分針４が８時３２分の位置まで移動された時点では、秒針５は、１／２周に相当する「３０秒」の位置まで移動される（図７（ｅ））。また、早送り回転動作のうち３／４が実施されて時針３及び分針４が９時６分の位置まで移動された時点では、秒針５は、３／４周に相当する「４５秒」の位置まで移動される（図７（ｆ））。そして、時針３及び分針４が早送り動作における移動先の位置である９時４１分の位置まで回転動作されると、秒針５は、早送り動作の開始時点から１周して「０秒」の位置まで移動され（図７（ｇ））。その後、秒針５は、３２ｐｐｓの速度で早送り回転動作されて秒針セット位置に係る「８秒」の位置に移動される（図７（ｈ））。
【００６６】
第２の実施形態では、ＲＡＭ４３に、時針３及び分針４の早送り回転動作における時針３及び分針４の移動済みステップ数が記憶され、当該移動済みステップ数及び移動ステップ数に基づいて時分針早送り回転量に対する実施済みの早送り回転動作に係る回転量の割合が算出される。
なお、秒針５により、時針３及び分針４の早送り回転動作全体の回転量に対する未実行の早送り回転動作における回転量の割合が示されるように、時針３及び分針４の早送り回転に伴って秒針５が逆転方向に１周するように回転動作されても良い。
また、第２の実施形態では、秒針５により時分針早送り回転量に対する実施済みの早送り回転動作に係る回転量の割合を示させる制御が回転量情報表示制御に相当する。
【００６７】
次に、第２の実施形態の電子時計１における指針の早送り処理について説明する。
【００６８】
図８は、第２の実施形態に係る早送り処理のＣＰＵ４１による制御手順を示すフローチャートである。
【００６９】
早送り処理が開始されると、ＣＰＵ４１は、先ず、実行される早送り処理に係る各種データをＲＡＭ４３に記憶させる（ステップＳ５０１）。ステップＳ５０１の処理は、第１の実施形態の早送り処理に係るステップＳ１０１の処理と同様である。
【００７０】
ＣＰＵ４１は、駆動回路３９によりステッピングモータ３５に対して秒針現在位置データに応じた数の駆動パルスを出力させて秒針５を３２ｐｐｓの速度で回転動作させ、「０秒」の位置に移動させる（ステップＳ５０２）。
【００７１】
ＣＰＵ４１は、時針３及び分針４の早送り回転動作における回転方向が正転方向であるか否か（即ち時分針回転方向データが０であるか否か）を判別する（ステップＳ５０３）。早送り回転動作における回転方向が正転方向であると判別された場合には（ステップＳ５０３で“Ｙｅｓ”）、ＣＰＵ４１は、移動済ステップ数に０を代入してＲＡＭ４３に記憶させる（ステップＳ５０４）。
【００７２】
ＣＰＵ４１は、駆動回路３９によりステッピングモータ３３に対して駆動パルスを出力させて時針３及び分針４を正転方向に１ステップ運針させる（ステップＳ５０５）。
【００７３】
ステップＳ５０５の処理が終了すると、ＣＰＵ４１は、秒針５により時針３及び分針４の早送り回転動作の進行状況を表示させる進行状況表示処理を実行する（ステップＳ５０６）。進行状況表示処理の詳細については後述する。
【００７４】
ＣＰＵ４１は、移動済みステップ数が移動ステップ数に等しいか否かを判別する（ステップＳ５０７）。ＣＰＵ４１は、移動済みステップ数と移動ステップ数とが異なると判別された場合には（ステップＳ５０７で“Ｎｏ”）、処理をステップＳ５０５に移行させる。ＣＰＵ４１は、ステップＳ５０５からＳ５０７までの処理を移動済みステップ数と移動ステップ数とが等しくなるまで繰り返し実行することにより、時針３及び分針４を正転方向に早送り回転動作させる。ここで、ＣＰＵ４１は、当該早送り回転動作の速度が３２ｐｐｓとなるようにステップＳ５０５の実行タイミングを制御する。
【００７５】
ステップＳ５０３において、早送り回転動作における回転方向が逆転方向であると判別された場合には（ステップＳ５０３で“Ｎｏ”）、ＣＰＵ４１は、分針４までの歯車を逆転側に寄せる処理を行う（ステップＳ５０８）。
【００７６】
ＣＰＵ４１は、移動済ステップ数に０を代入してＲＡＭ４３に記憶させる（ステップＳ５０９）。
【００７７】
ＣＰＵ４１は、駆動回路３９によりステッピングモータ３３に対して駆動パルスを出力させて時針３及び分針４を逆転方向に１ステップ運針させる（ステップＳ５１０）。
【００７８】
ステップＳ５１０の処理が終了すると、ＣＰＵ４１は、進行状況表示処理を実行する（ステップＳ５１１）。ステップＳ５１１の処理は、ステップＳ５０６の処理と同一である。
【００７９】
ＣＰＵ４１は、移動済みステップ数が移動ステップ数に等しいか否かを判別する（ステップＳ５１２）。ＣＰＵ４１は、移動済みステップ数と移動ステップ数とが異なると判別された場合には（ステップＳ５１２で“Ｎｏ”）、処理をステップＳ５１０に移行させる。ＣＰＵ４１は、ステップＳ５１０からＳ５１２までの処理を移動済みステップ数と移動ステップ数とが等しくなるまで繰り返し実行することにより、時針３及び分針４を逆転方向に早送り回転動作させる。ここで、ＣＰＵ４１は、当該早送り回転動作の速度が３２ｐｐｓとなるようにステップＳ５１０の実行タイミングを制御する。
【００８０】
移動済みステップ数が移動ステップ数に等しいと判別された場合には（ステップＳ５１２で“Ｙｅｓ”）、ＣＰＵ４１は、時針３及び分針４に係る歯車を正転側に寄せる処理を行う（ステップＳ５１３）。
【００８１】
ステップＳ５１３の処理が終了した後、又はステップＳ５０７において移動済みステップ数が移動ステップ数に等しいと判別された場合には（ステップＳ５０７で“Ｙｅｓ”）、ＣＰＵ４１は、秒針５を秒針セット位置データにより示される秒針セット位置に移動させる（ステップＳ５１４）。即ち、ＣＰＵ４１は、駆動回路３９によりステッピングモータ３５に対して秒針セット位置データと秒針現在位置データとの差に応じた数の駆動パルスを出力させて秒針５を３２ｐｐｓの速度で早送り回転動作させ、秒針セット位置に移動させる。
ステップＳ５１４の処理が終了すると、ＣＰＵ４１は、早送り処理を終了させる。
【００８２】
図９は、進行状況表示処理のＣＰＵ４１による制御手順を示すフローチャートである。
【００８３】
進行状況表示処理が開始されると、ＣＰＵ４１は、移動済みステップ数に、移動済みステップ数に１を加算して得られた数を代入してＲＡＭ４３に記憶させる（ステップＳ６０１）。
【００８４】
ＣＰＵ４１は、秒針５を、ｍｏｄ（ｉｎｔ（（移動済みステップ数／移動ステップ数）×６０），６０）で表される位置に移動させる（ステップＳ６０２）。ここで、ａ，ｂを実数としたときに、ｍｏｄ（ａ，ｂ）は、０≦ａの場合にはａをｂで割ったときの余りを表し、ａ＜０の場合には（ａ＋ｂ）をｂで割ったときの余りを表す。また、ｉｎｔ（ａ）は、ａの整数部を表す。ＣＰＵ４１は、上述のように算出された位置と秒針現在位置データとが異なる場合に、駆動回路３９によりステッピングモータ３５に対して駆動パルスを出力させて秒針５を回転動作させ、当該算出された位置に移動させる。
なお、ステップＳ６０２の処理の開始時における秒針５の位置と、上記のように算出された位置とが等しい場合には、ＣＰＵ４１は、秒針５を移動させずにステップＳ６０２の処理を終了させる。
ステップＳ６０２の処理が終了すると、ＣＰＵ４１は、進行状況表示処理を終了させる。
【００８５】
このように、第２の実施形態に係る電子時計１は、回転表示体を複数備え（時針３、分針４及び秒針５）、ＣＰＵ４１は、回転量情報表示制御において、早送り回転動作を行わせる時針３及び分針４とは異なる秒針５により回転量情報を示す回転動作を行わせる（制御手段）。これにより、時針３及び分針４の早送り回転動作に影響を及ぼすことなく秒針により時針３及び分針４の早送り回転動作における残り回転量に係る情報を示すことができる。
【００８６】
また、ＣＰＵ４１は、回転量情報表示制御において、秒針５により、時針３及び分針４の早送り回転動作における回転量に対する実行済みの当該早送り回転動作における回転量の割合に応じた回転動作を行わせる（制御手段）。これにより、時針３及び分針４の早送り回転動作の進行状況を直観的に分かりやすい態様で示すことができる。
【００８７】
（変形例）
次に、第２の実施形態の変形例について説明する。本変形例に係る早送り動作は、時針３及び分針４が早送り回転動作されるとともに、秒針５により、当該早送り回転動作の残り時間が示される点で第２の実施形態と異なる。以下では、主に第２の実施形態との相違点について説明する。
【００８８】
本変形例に係る早送り動作では、時分針セット位置データと時分針現在位置データとの差及び時針３及び分針４の回転速度の設定値に基づいて、時針３及び分針４の早送り回転動作の残り時間（秒）が算出され、当該残り時間を示す残り時間データＲがＲＡＭ４３に記憶される。そして、当該残り時間が３０秒以上である場合（即ちＲ≧３０の場合）には、秒針５が「３０秒」の位置に固定され、残り時間が３０秒未満になると（即ちＲ＜３０になると）、残り時間に合わせて、秒針５が回転動作されて「Ｒ秒」の位置に移動される。この秒針５の回転動作により、時針３及び分針４の早送り回転動作の残り時間が表示される。
なお、秒針５による残り時間の表示期間は、３０秒未満の範囲に限られず任意に設定可能であるが、ユーザが残り時間を容易に把握できるように１分未満の範囲とすることが好ましい。
また、本変形例では、秒針５により早送り回転動作の残り時間が示させる制御が回転量情報表示制御に相当する。
【００８９】
図１０は、本変形例に係る早送り処理のＣＰＵ４１による制御手順を示すフローチャートである。
このフローチャートは、第２の実施形態に係る早送り処理からステップＳ５０２を削除するとともにステップＳ５０１とステップＳ５０３との間にステップＳ５１５〜Ｓ５１７を追加し、またステップＳ５０６，Ｓ５１１をそれぞれステップＳ５１８，ステップＳ５１９に変更したものである。その他の各ステップは、第２の実施形態と同様であるので説明を省略する。
【００９０】
ＣＰＵ４１は、ステップＳ５０１の処理が終了すると、時分針セット位置データ、時分針現在位置データ及び時針３及び分針４の回転速度の設定値に基づいて残り時間（Ｒ秒）を算出し、当該残り時間が３０秒未満であるか否かを判別する（ステップＳ５１５）。残り時間が３０秒未満であると判別された場合には（ステップＳ５１５で“Ｙｅｓ”）、ＣＰＵ４１は、秒針５を３２ｐｐｓの速度で回転動作させて「Ｒ秒」の位置に移動させる（ステップＳ５１６）。残り時間が３０秒以上であると判別された場合には（ステップＳ５１５で“Ｎｏ”）、ＣＰＵ４１は、秒針５を３２ｐｐｓの速度で回転動作させて「Ｒ秒」の位置に移動させる（ステップＳ５１７）。
【００９１】
また、ＣＰＵ４１は、ステップＳ５０５の処理が終了すると、秒針５により時針３及び分針４の早送り回転動作の残り時間を表示させる残り時間表示処理を実行する（ステップＳ５１８）。また、ＣＰＵ４１は、ステップＳ５１０の処理が終了した場合にも、当該残り時間表示処理を実行する（ステップＳ５１９）。
【００９２】
図１１は、残り時間表示処理のＣＰＵ４１による制御手順を示すフローチャートである。
【００９３】
残り時間表示処理が開始されると、ＣＰＵ４１は、移動済みステップ数に、移動済みステップ数に１を加算して得られた数を代入してＲＡＭ４３に記憶させる（ステップＳ７０１）。
【００９４】
ＣＰＵ４１は、残り時間データＲに、ｉｎｔ（（移動ステップ数−移動済みステップ数）／３２）の値を代入してＲＡＭ４３に記憶させる（ステップＳ７０２）。ここで、「３２」は、時針３及び分針４の早送り回転速度（ｐｐｓ）の値であり、３２ｐｐｓ以外の回転速度で早送り回転動作させる場合にはその回転速度の値が用いられる。
【００９５】
ＣＰＵ４１は、残り時間データにより示される残り時間（Ｒ秒）が３０秒未満であるか否かを判別する（ステップＳ７０３）。残り時間が３０秒未満であると判別された場合には（ステップＳ７０３で“Ｙｅｓ”）、ＣＰＵ４１は、秒針５を３２ｐｐｓの速度で回転動作させて「Ｒ秒」の位置に移動させる（ステップＳ７０４）。なお、ステップＳ７０３の処理の開始時において秒針５が既に「Ｒ秒」の位置にある場合には、ＣＰＵ４１は、秒針５を移動させずにステップＳ７０３の処理を終了させる。
残り時間が３０秒以上であると判別された場合には（ステップＳ７０３で“Ｎｏ”）、ＣＰＵ４１は、残り時間表示処理を終了させる。
【００９６】
以上のように、本変形例に係る電子時計１のＣＰＵ４１は、回転量情報表示制御において、秒針５により、時針３及び分針４の早送り回転動作の残り時間を示す回転動作を行わせる（制御手段）。これにより、時針３及び分針４の早送り回転動作に影響を及ぼすことなく当該早送り回転動作の残り時間をユーザに知らせることができる。
【００９７】
なお、本発明は、上記実施の形態に限られるものではなく、様々な変更が可能である。
例えば、上記各実施形態及び変形例では、時針３及び分針４が連動して回転動作される例を用いて説明したが、時針３及び分針４が独立して回転動作される電子時計に本発明を適用しても良い。
【００９８】
また、上記第１の実施形態では、時針３及び分針４の早送り回転動作において予備動作を行う例を用いて説明したが、電子時計に設けられた任意の指針（回転表示体）の早送り回転動作において当該指針により予備動作を行うことができる。例えば、秒針５の早送り回転動作において秒針５により予備動作を行っても良い。また、時針３、分針４及び秒針５以外の機能針が設けられている電子時計において、機能針の早送り回転動作において当該機能針により予備動作を行っても良い。また、時針３及び分針４の早送り回転動作において予備動作を複数回、例えば２回行うようにしても良い。早送り動作開始時点における時針３及び分針４の位置をユーザが再確認でき、より確実に早送り回転動作終了までの待ち時間を想定させることができ、ユーザ利便性を向上させることができる。また、時針３及び分針４の早送り回転動作において予備動作を行う前に、例えば秒針５を早送り動作開始時点における分針４の位置へ移動させ、分針４と重ならせてから予備動作を行うようにしても良い。この場合も、早送り動作開始時点における時針３及び分針４の位置をユーザが再確認でき、より確実に早送り回転動作終了までの待ち時間を想定させることができ、ユーザ利便性を向上させることができる。
【００９９】
また、上記第１の実施形態では、時針３及び分針４の早送り回転動作に係る予備動作において、早送り回転動作とは逆方向に時針３及び分針４を回転動作させる例を用いて説明したが、これに代えて、早送り回転動作と同一方向に時針３及び分針４を回転させる動作を予備動作としても良い。この場合には、予備動作と早送り回転動作とをユーザが区別できるように、予備動作の回転動作の態様を早送り回転動作の態様と異ならせることが好ましい。例えば、予備動作の回転動作の速度を早送り回転動作の速度と異ならせることができる。また、予備動作の終了後、所定の待機時間が経過した後に早送り回転動作を開始させても良い。
【０１００】
また、上記第１の実施形態では、時針３及び分針４による予備動作、及び時針３及び分針４の早送り回転動作の速度を漸減させる動作の双方を実行する例を用いて説明したが、これらのうち何れか一方の動作を行わず、他方の動作のみにより時針３及び分針４の早送り回転動作における回転量に係る情報を示すこととしても良い。
【０１０１】
また、上記第２の実施形態及び変形例では、それぞれ秒針５の回転動作により時針３及び分針４の早送り回転動作における回転量に係る表示を行う例を用いて説明したが、電子時計に設けられた複数の指針（回転表示体）のうち何れかの指針に係る早送り回転動作における回転量に係る表示を、他の何れかの指針の回転動作により表示させても良い。例えば、日車２を早送り回転動作させる場合に、秒針５により日車２に係る早送り回転動作における回転量のうち実施済みの回転動作における回転量の割合や、残り回転量の割合を表示させても良い。また、上記機能針が設けられている電子時計において、当該機能針の回転動作により他の指針の早送り回転動作における回転量に係る表示を行っても良い。
【０１０２】
また、上記第１の実施形態と第２の実施形態（又は変形例）とを組み合わせて実施しても良い。即ち、時針３及び分針４の早送り回転動作において予備動作を行うとともに、秒針５の回転動作により時針３及び分針４の早送り回転動作における回転量に係る表示を行っても良い。
また、上記第２の実施形態と変形例とを組み合わせて実施しても良い。例えば、秒針５により時針３及び分針４の早送り回転動作全体の回転量のうち実施済みの回転量の割合又は未実行の回転量の割合を表示させるとともに、別個の機能針を設けて当該指針により上記早送り回転動作の残り時間を併せて表示させても良い。この場合、上記第１の実施形態に係る予備動作をさらに組み合わせて実施しても良い。
【０１０３】
また、上記各実施形態及び変形例では、指針により表示を行うアナログ方式の電子時計１を例に挙げて説明したが、液晶パネル等のデジタル表示部を備え、アナログ方式及びデジタル方式の双方による表示が可能な電子時計に本発明を適用しても良い。
【０１０４】
本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
【０１０５】
［付記］
＜請求項１＞
回転表示体と、
前記回転表示体の回転動作を制御する制御手段と、
を備え、
前記制御手段は、前記回転表示体に早送り回転動作を行わせる場合に、当該早送り回転動作による前記回転表示体の移動先の位置を示す情報に基づいて、前記早送り回転動作における回転量に係る回転量情報を示す回転動作を少なくとも一の前記回転表示体により行わせる回転量情報表示制御を行う
ことを特徴とする電子時計。
＜請求項２＞
前記制御手段は、前記回転量情報表示制御において、前記早送り回転動作の開始前に、当該早送り回転動作を行わせる前記回転表示体を当該早送り回転動作における回転量に応じた回転量回転動作させることを特徴とする請求項１に記載の電子時計。
＜請求項３＞
前記早送り回転動作における回転量に応じた前記回転表示体の回転動作は、当該回転動作における回転方向が前記早送り回転動作における回転方向とは逆方向となるように行われることを特徴とする請求項２に記載の電子時計。
＜請求項４＞
前記制御手段は、前記回転量情報表示制御において、前記早送り回転動作を行っている前記回転表示体の回転動作の速度を当該早送り回転動作における残り回転量に対応して漸減させることを特徴とする請求項１〜３の何れか一項に記載の電子時計。
＜請求項５＞
前記回転表示体を複数備え、
前記制御手段は、前記回転量情報表示制御において、前記早送り回転動作を行わせる前記回転表示体とは異なる他の少なくとも一の前記回転表示体により前記回転量情報を示す回転動作を行わせることを特徴とする請求項１〜４の何れか一項に記載の電子時計。
＜請求項６＞
前記制御手段は、前記回転量情報表示制御において、前記他の少なくとも一の回転表示体により、前記早送り回転動作における回転量に対する実行済みの当該早送り回転動作における回転量の割合に応じた回転動作を行わせることを特徴とする請求項５に記載の電子時計。
＜請求項７＞
前記制御手段は、前記回転量情報表示制御において、前記他の少なくとも一の回転表示体により、前記早送り回転動作の残り時間を示す回転動作を行わせることを特徴とする請求項５に記載の電子時計。
【符号の説明】
【０１０６】
１  電子時計
２  日車
３  時針
４  分針
５  秒針
２２〜２５  輪列機構
３２，３３，３５  ステッピングモータ
３９  駆動回路
４１  ＣＰＵ
４２  ＲＯＭ
４３  ＲＡＭ
４４  電源部
４５  操作部
４６  発振回路
４７  分周回路
４８  計時回路
４９  アンテナ
５０  標準電波受信部
【図１】
0006645084.tif 000002
【図２】
0006645084.tif 000003
【図３】
0006645084.tif 000004
【図４】
0006645084.tif 000005
【図５】
0006645084.tif 000006
【図６】
0006645084.tif 000007
【図７】
0006645084.tif 000008
【図８】
0006645084.tif 000009
【図９】
0006645084.tif 000010
【図１０】
0006645084.tif 000011
【図１１】
0006645084.tif 000012